(57)【要約】      （修正有）【課題】改良型の風呂用玩具を提供する。【解決手段】互いに対向する大体水平の重力駆動流水遊び玩具１００は、少なくとも第１および第２の水入口１３４，１３６と、第１および第２の水入口のそれぞれのものからそれを通して水の重力流を導くために、少なくとも第１および第２の水入口のそれぞれのものに連結する少なくとも第１および第２の大体垂直の水導管と、第１および第２の水入口のそれぞれのものからそれを通して、そして少なくとも第１および第２の大体垂直の水導管１３８，１５８のそれぞれのものを経由して水の重力流を導くために、少なくとも第１および第２の大体垂直の水導管のそれぞれのものに連結する少なくとも第１および第２の大体水平の水導管１４６，１６６であって、それを通る水の重力流が大体反対の方向であるように配置される少なくとも第１および第２の大体水平の水導管とを含む。【選択図】図１
2019069235.tif 000002
【特許請求の範囲】
【請求項１】
明細書および／または図面に記載の発明。
【発明の詳細な説明】
【技術分野】
【０００１】
（関連出願の参照）
ここに参照は、２０１４年９月１０日に出願された「スプレーステーション水遊び玩具および使用方法」という名称の米国仮特許出願第６２／０４８６９４号明細書になされる。その開示は、これにより参照によって引用したものとし、そしてその優先権は、これにより３７Ｃ．Ｆ．Ｒ．  １．７８（ａ）（４）および（５）（ｉ）に準じて請求される。
【０００２】
本発明は、水遊び玩具、より詳細には風呂用玩具に関する。
【背景技術】
【０００３】
様々な種類の風呂用玩具が公知である。
【発明の概要】
【発明が解決しようとする課題】
【０００４】
本発明は、改良型の風呂用玩具を提供することを目指す。
【課題を解決するための手段】
【０００５】
したがって、本発明の好ましい実施形態に従って、少なくとも第１および第２の水入口と、第１および第２の水入口のそれぞれのものからそれを通して水の重力流を導くために、少なくとも第１および第２の水入口のそれぞれのものに連結する少なくとも第１および第２の大体垂直の水導管と、第１および第２の水入口のそれぞれのものから、そして少なくとも第１および第２の大体垂直の水導管を経由してそれを通して水の重力流を導くために、少なくとも第１および第２の大体垂直の水導管のそれぞれのものに連結する少なくとも第１および第２の大体水平の水導管とを含む互いに対向する大体水平な重力駆動流の水遊び玩具が提供される。少なくとも第１および第２の大体水平の水導管は、それを通る水の重力流が大体反対の方向であるように配置される。
【０００６】
好ましくは、少なくとも第１および第２の大体水平の水導管は、互いに平行である。加えて、または代わりに、第１および第２の大体水平の水導管は、互いに一体的に形成される。加えて、または代わりに、第１および第２の大体水平の水導管は、共通の外側の大体水平の導管の中に画成される。
【０００７】
本発明の好ましい実施形態に従って、互いに対向する大体水平の重力駆動流水遊び玩具はまた、第１の水入口から第１の水導管を介して水の重力流により駆動されて、視覚的に感知可能な空想的可動ディスプレーを駆動する第１の水力タービンと、第２の水入口から第２の水導管を経由して水の重力流により駆動される第２の水力タービンとを含む。第２の水力タービンは可視であり、幼児が係合可能且つ停止可能である。
【０００８】
好ましくは、互いに対向する大体水平の重力駆動流水遊び玩具はまた、第１の水入口から第１の水導管を経由して水の重力流により駆動されて、視覚的に知覚できる空想的可動ディスプレーを駆動する第１の水力タービンを含む。加えて、または代わりに、水を受け入れる第２の水導管は、複数のスプレー出口孔をそこに含む。
【０００９】
本発明の好ましい実施形態に従って、互いに対向する大体水平の重力駆動流水遊び玩具はまた、第１の水入口から第１の水導管を経由して水の重力流により駆動されて、視覚的に知覚できる空想的可動ディスプレーを駆動する第１の水力タービンアセンブリと、第２の水入口から第２の水導管を経由して水の重力流により駆動される第２の水力タービンアセンブリ（第２の水力タービンアセンブリは可視であり、幼児が係合可能且つ停止可能である）と、第２の水容器に連結する第３の水導管と、第２の水入口から第１の水導管を経由して水の重力流により駆動されて、視覚的に知覚できる空想的可動ディスプレーを駆動する第３の水力タービンアセンブリと、第１の水容器から水を受け取って、複数のスプレー出口孔をそこに有する第４の水導管とを含む。
【００１０】
また、本発明の別の好ましい実施形態に従って、水流のその衝突に応答して大体垂直の平面での回転のために配置された複数の互いに嵌合された水スプレー駆動可能ホイールと、互いに嵌合された水スプレー駆動可能ホイールが取り付けられる複数の回転ハブとを含む水衝突駆動玩具が提供される。複数の回転ハブは、大体水平の軸まわりの回転のために配置されて、複数のハブの各々は、異なる幾何学的な外周構成を有する。複数の互いに嵌合された水スプレー駆動可能ホイールの各々は、複数のハブの幾何学的な外周構成のうちの一つに対応する異なる幾何学的な内周構成を有し、このようにして、ホイールのうちの一つが、対応する幾何学的構造を有するハブに幼児だけで取り付けられることを可能にする。
【００１１】
更に、本発明の更に別の好ましい実施形態に従って、加圧水の供給源と、主要ノズル出口がブロックされないときに、水が少なくとも一つの主要出口だけから放出されて、少なくとも一つの主要出口がブロックされるときだけ、水が少なくとも一つの二次ノズル出口から放出されるように、加圧水の供給源を受け入れて、少なくとも一つの主要ノズル出口および加圧水の供給源に相互連結する少なくとも一つの二次ノズル出口を含む複数のノズル出口を有するノズルとを含む水遊び玩具が提供される。
【００１２】
好ましくは、少なくとも一つの主要ノズル出口は常開であって、幼児によって選択可能に手動でブロックすることができる。それによって、少なくとも一つの二次ノズル出口から水を放出させる。あるいは、少なくとも一つの主要ノズル出口は、通常ブロックされ、それによって、水は通常少なくとも一つの二次出口から放出され、そして少なくとも一つの主要ノズル出口は、幼児によって選択可能に開かれることができ、それによって、水を少なくとも一つの主要出口から放出させる。
【００１３】
本発明の好ましい実施形態に従って、加圧水の供給源は水中ポンプである。加えて、または代わりに、加圧水の供給源およびノズルは、浮揚性のプラットフォームに取り付けられる。
【００１４】
好ましくは、少なくとも一つの主要ノズル出口は上を向いている。あるいは、少なくとも一つの主要ノズル出口は下を向いている。
【００１５】
本発明の好ましい実施形態に従って、加圧水の供給源は、それを通して加圧水流を供給するためのフレキシブル導管に連結する水中型水ポンプであり、そしてノズルは、加圧水流を受け入れて、加圧水流からノズルを通る水の出力を管理する一対の背中合わせに向けられた強く握ることのできるボタン要素を含む幼児が手操作可能な水流スイッチを備えるためのフレキシブル導管に連結する幼児の手で保持可能な水スプレーノズルである。幼児が手操作可能な水流スイッチは、電気的水流コントローラに、そしてフレキシブル導管を通って延びる電気導体導管を経由して電力源に電気的に接続している。
【００１６】
本発明の好ましい実施形態に従って、水遊び玩具はまた、ノズルから水の流れを受け取るための少なくとも第１および第２の水入口と、第１および第２の水入口のそれぞれのものからそれを通して水の重力流を導くために、少なくとも第１および第２の水入口のそれぞれのものに連結する少なくとも第１および第２の大体垂直の水導管と、第１および第２の水入口のそれぞれのものから、そして少なくとも第１および第２の大体垂直の水導管のそれぞれのものを経由してそれを通して水の重力流を導くために、少なくとも第１および第２の大体垂直の水導管のそれぞれのものに連結する少なくとも第１および第２の大体水平の水導管とを含む。少なくとも第１および第２の大体水平の水導管は、それを通る水の重力流が大体反対の方向であるように配置される。
【００１７】
好ましくは、水遊び玩具はまた、ノズルから水の流れを受け取るように構成された水容器と、水容器に連結する第１の水導管と、水容器から第１の水導管を経由して水の重力流により駆動されて、視覚的に感知可能な空想的可動ディスプレーを駆動する第１の水力タービンと、第１の水容器から水を受け取る第２の水導管と、水容器から第２の水導管を経由して水の重力流により駆動される第２の水力タービンとを含む。第２の水力タービンは可視であり、幼児が係合可能且つ停止可能である。
【００１８】
本発明の更に別の好ましい実施形態に従って、それを通して加圧水流を供給するためのフレキシブル導管に連結する水中型水ポンプと、加圧水流を受け取って、加圧水流からノズルを通る水の出力を制御する一対の背中合わせに向けられた強く握ることのできるボタン要素を含む幼児が手操作可能な水流スイッチを備えるためにフレキシブル導管に連結する幼児の手で保持可能な水スプレーノズルとを含む水遊び玩具が更に提供される。幼児が手操作可能な水流スイッチは、電気的水流コントローラに、そしてフレキシブル導管を通って延びる電気導体導管を経由して電力源に電気的に接続している。
【００１９】
本発明の更に別の好ましい実施形態に従って、それを通して加圧水流を供給するためにフレキシブル導管に連結する水中型水ポンプと、加圧水流を受け取って、加圧水流からノズルを通る水の出力を制御する幼児が手操作可能な水流スイッチを備えるために第１の導管に連結する幼児の手で保持可能な水スプレーノズルとを含む水遊び玩具が更にもっと提供される。幼児が手操作可能な水流スイッチは、電気的水流コントローラに、そしてフレキシブル導管を通って延びて水中型水ポンプおよびスプレーノズルにその端において確実に取り付けられる、電力源およびフレキシブルセキュリティ要素に電気的に接続している。
【００２０】
好ましくは、水遊び玩具はまた、水の流れを受け取るように構成された水容器と、水容連結する第１の水導管と、
器から第１の水導管を経由して水の重力流により駆動されて、視覚的に感知可能な空想的可動ディスプレーを駆動する第１の水力タービンと、第１の水容器から水を受け取る第２の水導管と、水容器から第２の水導管を経由して水の重力流により駆動される第２の水力タービンとを含む。第２の水力タービンは可視であり、幼児が係合可能且つ停止可能である。
【００２１】
本発明の好ましい実施形態に従って、水遊び玩具はまた、水の流れを受け取るように構成された水容器と、水容器に連結する第１の水導管と、水容器から第１の水導管を経由して水の重力流により駆動されて、視覚的に感知可能な空想的可動ディスプレーを駆動する第１の水力タービンと、第１の水容器から水を受け取って、複数のスプレー出口孔をそこに有する第２の水導管とを含む。
【００２２】
好ましくは、水遊び玩具はまた、水の流れを受け取るように構成された第１の水容器と、第１の水容器に連結する第１の水導管と、水容器から第１の水導管を経由して水の重力流により駆動されて、視覚的に感知可能な空想的可動ディスプレーを駆動する第１の水力タービンアセンブリと、第１の水容器から水を受け取る第２の水導管と、水容器から第２の水導管を経由して水の重力流により駆動される第２の水力タービンアセンブリ（第２の水力タービンアセンブリは可視であり、幼児が係合可能且つ停止可能である）と、水の流れを受け取るように構成された第２の水容器と、第２の水容器に連結する第３の水導管と、第２の水容器から第１の水導管を経由して水の重力流により駆動されて、視覚的に感知可能な空想的可動ディスプレーを駆動する第３の水力タービンアセンブリと、第１の水容器から水を受け取って、複数のスプレー出口孔をそこに有する第４の水導管とを含む。
【００２３】
本発明の好ましい実施形態に従って、第１および第２の水導管は、それを通して水の重力流を導くための少なくとも第１および第２の大体垂直の水導管と、それを通して水の重力流を導くために少なくとも第１および第２の大体垂直の水導管のそれぞれのものに連結する少なくとも第１および第２の大体水平の水導管とを共に含む。少なくとも第１および第２の大体水平の水導管は、それを通る水の重力流が大体反対の方向であるように配置される。加えて、少なくとも第１および第２の大体水平の水導管は、互いに平行である。加えて、または代わりに、第１および第２の大体水平の水導管は、互いに一体的に形成される。代わりに、または加えて、第１および第２の大体水平の水導管は、共通の外側の大体水平の導管の中に画成される。
【００２４】
本発明は、図面に関連してなされる以下の詳細な説明からより完全に理解および評価される。
【図面の簡単な説明】
【００２５】
【図１】本発明の好ましい実施形態に従って構成されて動作する組み合わせ揚水流と重力流風呂用玩具システムの簡略絵画図である。
【図２】図１の組み合わせ揚水流と重力流風呂用玩具システムのノズルおよび導管部分の簡略分解図である。
【図３Ａ】図２のノズルおよび導管部分の一部を形成する前部ノズルハウジング要素の簡略絵画図である。
【図３Ｂ】図２のノズルおよび導管部分の一部を形成する前部ノズルハウジング要素の切欠断面絵画図である。
【図４Ａ】図２のノズルおよび導管部分の一部を形成する後部ノズルハウジング要素の簡略絵画図である。
【図４Ｂ】図２のノズルおよび導管部分の一部を形成する後部ノズルハウジング要素の切欠断面絵画図である。
【図５Ａ】図２〜図４Ｂのノズルおよび導管部分の内部の簡略図である。
【図５Ｂ】図２および図５Ａのノズルおよび導管部分の一部を形成するスプレー制御スイッチアセンブリの簡略図である。
【図５Ｃ】図５Ｂのスプレー制御スイッチアセンブリの簡略分解図である。
【図５Ｄ】図５Ｂおよび図５Ｃのスプレー制御スイッチアセンブリの一部を形成する第１の押しボタン要素の簡略図である。
【図５Ｅ】図５Ｂおよび図５Ｃのスプレー制御スイッチアセンブリの一部を形成する第１の押しボタン要素の簡略図である。
【図５Ｆ】図５Ｂおよび図５Ｃのスプレー制御スイッチアセンブリの一部を形成する第２の押しボタン要素の簡略図である。
【図５Ｇ】図５Ｂおよび図５Ｃのスプレー制御スイッチアセンブリの一部を形成する第２の押しボタン要素の簡略図である。
【図５Ｈ】図５Ｂおよび図５Ｃのスプレー制御スイッチアセンブリの一部を形成する、マイクロスイッチ保持および封止要素の一方の側の簡略絵画図である。
【図５Ｉ】図５Ｂおよび図５Ｃのスプレー制御スイッチアセンブリの一部を形成する、マイクロスイッチ保持および封止要素の図５Ｈとは反対側の簡略絵画図である。
【図５Ｊ】図５Ｈの線Ｊ−Ｊに沿って切った、図５Ｈおよび図５Ｉのマイクロスイッチ保持要素の簡略断面図である。
【図５Ｋ】図５Ｂの線Ｋ−Ｋに沿って切った、簡略断面図であり、図５Ｂ〜図５Ｊのスプレー制御スイッチアセンブリの２つの動作配置を示す拡大を有する。
【図５Ｌ】図５Ｂの線Ｋ−Ｋに沿って切った、簡略断面図であり、図５Ｂ〜図５Ｊのスプレー制御スイッチアセンブリの２つの動作配置を示す拡大を有する。
【図６Ａ】図２のノズルおよび導管部分の一部を形成するノズル出口要素の簡略絵画図である。
【図６Ｂ】図２のノズルおよび導管部分の一部を形成するノズル出口要素の断面組立図であり、図６Ａの線Ｂ−Ｂに沿って切った図である。
【図７Ａ】図１〜図６Ｂの実施形態のノズル部分のスプレー制御スイッチアセンブリの４つの動作状態のうち１つを示す簡略絵画図である。
【図７Ｂ】図１〜図６Ｂの実施形態のノズル部分のスプレー制御スイッチアセンブリの４つの動作状態のうち１つを示す簡略絵画図である。
【図７Ｃ】図１〜図６Ｂの実施形態のノズル部分のスプレー制御スイッチアセンブリの４つの動作状態のうち１つを示す簡略絵画図である。
【図７Ｄ】図１〜図６Ｂの実施形態のノズル部分のスプレー制御スイッチアセンブリの４つの動作状態のうち１つを示す簡略絵画図である。
【図８Ａ】図７Ａに対応する簡略断面図である。
【図８Ｂ】図７Ｂに対応する簡略断面図である。
【図８Ｃ】図７Ｃに対応する簡略断面図である。
【図８Ｄ】図７Ｄに対応する簡略断面図である。
【図９Ａ】図１の線Ａ−Ａに沿って切った、図１の組み合わせ揚水流と重力流風呂用玩具システムのポンプ部分の簡略断面図である。
【図９Ｂ】図１の線Ｂ−Ｂに沿って切った、図１の組み合わせ揚水流と重力流風呂用玩具システムのポンプ部分の簡略断面図である。
【図９Ｃ】図１の矢印Ｃにより示される方向に切ったポンプ部分の簡略部分断面図である。
【図９Ｄ】図９Ａおよび図９Ｂのポンプ部分の簡略分解図である。
【図１０Ａ】図１〜図９Ｃの組み合わせ揚水流と重力流風呂用玩具システムの多方向の互いに交差する重力流部分の簡略前面絵画図である。
【図１０Ｂ】図１〜図９Ｃの組み合わせ揚水流と重力流風呂用玩具システムの多方向の互いに交差する重力流部分の背面絵画図である。
【図１０Ｃ】図１〜図９Ｃの組み合わせ揚水流と重力流風呂用玩具システムの多方向の互いに交差する重力流部分の分解図である。
【図１１Ａ】図１〜図１０Ｃの組み合わせ揚水流と重力流風呂用玩具システムの図１０Ａ〜図１０Ｃの多方向の互いに交差する重力流部分の動作の第１の重力流モードの簡略絵画図である。
【図１１Ｂ】図１〜図１０Ｃの組み合わせ揚水流と重力流風呂用玩具システムの図１０Ａ〜１０Ｃの多方向の互いに交差する重力流部分の動作の第１の重力流モードの断面図であり、図１１Ａの線Ｂ−Ｂに沿って切った図である。
【図１２Ａ】図１〜図１０Ｃの組み合わせ揚水流と重力流風呂用玩具システムの図１０Ａ〜１０Ｃの多方向の相互に交差する重力流部分の動作の第２の重力流モードの簡略絵画図である。
【図１２Ｂ】図１〜図１０Ｃの組み合わせ揚水流と重力流風呂用玩具システムの図１０Ａ〜１０Ｃの多方向の相互に交差する重力流部分の動作の第２の重力流モードの断面図であり、図１２Ａの線Ｂ−Ｂに沿って切った図である。
【図１３Ａ】図１〜図１０Ｃの組み合わせ揚水流と重力流風呂用玩具システムの図１０Ａ〜１０Ｃの多方向の互いに交差する重力流部分の動作の第３の重力流モードの簡略絵画図である。
【図１３Ｂ】図１〜図１０Ｃの組み合わせ揚水流と重力流風呂用玩具システムの図１０Ａ〜１０Ｃの多方向の互いに交差する重力流部分の動作の第３の重力流モードの断面図であり、図１３Ａの線Ｂ−Ｂに沿って切った図である。
【図１４Ａ】本発明の好ましい実施形態に従って構成されて動作する互いに対向する大体水平の重力駆動流水遊び玩具の代替実施形態の簡略前面図である。
【図１４Ｂ】本発明の好ましい実施形態に従って構成されて動作する互いに対向する大体水平の重力駆動流水遊び玩具の代替実施形態の簡略背面図である。
【図１４Ｃ】本発明の好ましい実施形態に従って構成されて動作する互いに対向する大体水平の重力駆動流水遊び玩具の代替実施形態において形成されたさまざまな流路を示す、前面分解図である。
【図１４Ｄ】、本発明の好ましい実施形態に従って構成されて動作する互いに対向する大体水平の重力駆動流水遊び玩具の代替実施形態において形成されたさまざまな流路を示す、背面分解図である。
【図１５Ａ】図１４Ａ〜図１４Ｄの互いに対向する大体水平の重力駆動流水遊び玩具の第１の流れパターンの絵画図である。
【図１５Ｂ】、図１４Ａ〜図１４Ｄの互いに対向する大体水平の重力駆動流水遊び玩具の第１の流れパターンの断面図である。
【図１６Ａ】図１４Ａ〜図１４Ｄの互いに対向する大体水平の重力駆動流水遊び玩具の第２の流れパターンの絵画図である。
【図１６Ｂ】図１４Ａ〜図１４Ｄの互いに対向する大体水平の重力駆動流水遊び玩具の第２の流れパターンの断面図である。
【図１７Ａ】図１４Ａ〜図１４Ｄの互いに対向する大体水平の重力駆動流水遊び玩具の第３の流れパターンの絵画図である。
【図１７Ｂ】図１４Ａ〜図１４Ｄの互いに対向する大体水平の重力駆動流水遊び玩具の第３の流れパターンの断面図である。
【図１８Ａ】図１４Ａ〜図１４Ｄの互いに対向する大体水平の重力駆動流水遊び玩具の第４の流れパターンの絵画図である。
【図１８Ｂ】図１４Ａ〜図１４Ｄの互いに対向する大体水平の重力駆動流水遊び玩具の第４の流れパターンの断面図である。
【図１９】本発明の別の好ましい実施形態に従って構成されて動作する組み合わせ揚水流と重力流風呂用玩具システムの簡略絵画図である。
【図２０】図１９の組み合わせ揚水流と重力流風呂用玩具システムのノズルおよび導管部分の簡略分解図である。
【図２１Ａ】第１の方向に沿った、図２０のノズルおよび導管部分の一部を形成する第１のノズルハウジング要素の簡略絵画図である。
【図２１Ｂ】第１の方向に沿った、図２０のノズルおよび導管部分の一部を形成する第１のノズルハウジング要素の断面図である。
【図２２Ａ】第２の方向に沿って切った、図２０のノズルおよび導管部分の一部を形成する第１のノズルハウジング要素の簡略絵画図である。
【図２２Ｂ】第２の方向に沿って切った、図２０のノズルおよび導管部分の一部を形成する第１のノズルハウジング要素の断面図である。
【図２３Ａ】図１９〜図２２Ｂのノズルおよび導管部分の内部の簡略図である。
【図２３Ｂ】第１の動作位置において、図２３Ａの線Ｂ−Ｂに沿って切った、図１９および図２３Ａのノズルおよび導管部分の一部を形成するスプレー制御スイッチアセンブリの簡略断面図である。
【図２３Ｃ】第２の動作位置において、図２３Ａの線Ｂ−Ｂに沿って切った、図１９および図２３Ａのノズルおよび導管部分の一部を形成するスプレー制御スイッチアセンブリの簡略断面図である。
【図２３Ｄ】図２３Ｂおよび図２３Ｃのスプレー制御スイッチアセンブリの簡略組立図ある。
【図２３Ｅ】図２３Ｂおよび図２３Ｃのスプレー制御スイッチアセンブリの分解図である。
【図２４Ａ】図１９〜図２３Ａの実施形態のノズル部分のスプレー制御スイッチアセンブリの４つの動作状態のうち１つの簡略絵画図である。
【図２４Ｂ】図１９〜図２３Ａの実施形態のノズル部分のスプレー制御スイッチアセンブリの４つの動作状態のうち１つの簡略絵画図である。
【図２４Ｃ】図１９〜図２３Ａの実施形態のノズル部分のスプレー制御スイッチアセンブリの４つの動作状態ののうち１つの簡略絵画図である。
【図２４Ｄ】図１９〜図２３Ａの実施形態のノズル部分のスプレー制御スイッチアセンブリの４つの動作状態のうち１つの簡略絵画図である。
【図２５Ａ】図２３Ａの断面線Ｂ−Ｂに沿って切った、図２４Ａに対応する簡略断面図である。
【図２５Ｂ】図２３Ａの断面線Ｂ−Ｂに沿って切った、図２４Ｂに対応する簡略断面図である。
【図２５Ｃ】図２３Ａの断面線Ｂ−Ｂに沿って切った、図２４Ｃに対応する簡略断面図である。
【図２５Ｄ】図２３Ａの断面線Ｂ−Ｂに沿って切った、図２４Ｄに対応する簡略断面図である。
【図２６Ａ】図１９の矢印Ａにより示される方向に切ったポンプ部分の簡略部分切欠図である。
【図２６Ｂ】図１９の線Ｂ−Ｂに沿って切った、図１９の組み合わせ揚水流と重力流風呂用玩具システムのポンプ部分の簡略断面図である。
【図２６Ｃ】図２６Ａおよび図２６Ｂのポンプ部分の簡略分解図である。
【図２７】浮動的な動作配置の図１９〜図２６Ｃの実施形態のポンプ部分の簡略絵画図である。
【図２８Ａ】図１〜図２７の実施形態のいずれにも示すようにポンプおよびノズルと協同して、またはポンプなしに使うことができる、スプレー駆動タービン水遊び玩具の簡略前面組立図である。
【図２８Ｂ】図１〜図２７の実施形態のいずれにも示すようにポンプおよびノズルと協同して、またはポンプなしに使うことができる、スプレー駆動タービン水遊び玩具の簡略背面組立図である。
【図２８Ｃ】図１〜図２７の実施形態のいずれにも示すようにポンプおよびノズルと協同して、またはポンプなしに使うことができる、スプレー駆動タービン水遊び玩具の分解図である。
【図２９Ａ】形状にマッチするプレー経験を提供するために、異なる形のタービン部分が図２８Ａ〜図２８Ｃの実施形態のようなそれに応じて異なる形のハブに選択可能に着脱可能且つ入れ替え可能でありえることを示す、分解配置の簡略絵画図である。
【図２９Ｂ】形状にマッチするプレー経験を提供するために、異なる形のタービン部分が図２８Ａ〜図２８Ｃの実施形態のようなそれに応じて異なる形のハブに選択可能に着脱可能且つ入れ替え可能でありえることを示す、簡略部分切欠側面図である。
【図３０Ａ】玩具上の異なる方向に向けられた水スプレーに応じて図２８Ａ〜図２９Ｂの実施形態の玩具によって実現可能な回転パターンを例示する簡略絵画図である。
【図３０Ｂ】玩具上の異なる方向に向けられた水スプレーに応じて図２８Ａ〜図２９Ｂの実施形態の玩具によって実現可能な回転パターンを例示する簡略絵画図である。
【図３０Ｃ】玩具上の異なる方向に向けられた水スプレーに応じて図２８Ａ〜図２９Ｂの実施形態の玩具によって実現可能な回転パターンを例示する簡略絵画図である。
【図３０Ｄ】玩具上の異なる方向に向けられた水スプレーに応じて図２８Ａ〜図２９Ｂの実施形態の玩具によって実現可能な回転パターンを例示する簡略絵画図である。
【図３１Ａ】図２８Ａ〜図３０Ｄの実施形態でハブからホイールを除去した１つの例を示す。
【図３１Ｂ】図２８Ａ〜図３０Ｄの実施形態でハブからホイールを除去した１つの例を示す。
【図３１Ｃ】図２８Ａ〜図３０Ｄの実施形態でハブからホイールを除去した１つの例を示す。
【図３２】浴槽に装着可能なポンプアセンブリによる図２８Ａ〜図３１Ｃに示す玩具と類似の玩具の動作の簡略図である。
【図３３Ａ】例えば、図１９〜図２７の実施形態に取り入れることができる、指調整スプレーノズルの１つの動作配置を示す。
【図３３Ｂ】例えば、図１９〜図２７の実施形態に取り入れることができる、指調整スプレーノズルの１つの動作配置を示す。
【図３４Ａ】図３３Ａの動作配置に対応する水流を例示する簡略断面図である。
【図３４Ｂ】図３３Ｂの動作配置に対応する水流を例示する簡略断面図である。
【図３５Ａ】例えば、図３２の浴槽に装着可能なポンプアセンブリに取り入れることができる、指調整スプレーノズルの１つの動作配置を示す。
【図３５Ｂ】例えば、図３２の浴槽に装着可能なポンプアセンブリに取り入れることができる、指調整スプレーノズルの１つの動作配置を示す。
【図３６Ａ】図３５Ａの動作配置に対応する水流を例示する簡略断面図である。
【図３６Ｂ】図３５Ｂの動作配置に対応する水流を例示する簡略断面図である。
【図３７Ａ】例えば、図１９〜図２７の実施形態に取り入れることができる、ノズル要素調整スプレーノズルの１つの動作配置を示す。
【図３７Ｂ】例えば、図１９〜図２７の実施形態に取り入れることができる、ノズル要素調整スプレーノズルの１つの動作配置を示す。
【図３７Ｃ】例えば、図１９〜図２７の実施形態に取り入れることができる、ノズル要素調整スプレーノズルの１つの動作配置を示す。
【図３８】図３７Ａ〜図３７Ｃのノズル要素調整スプレーノズルの一部の簡略分解図である。
【図３９Ａ】図３７Ａおよび図３７Ｃの動作配置に対応する水流を例示する簡略断面図である。
【図３９Ｂ】図３７Ａおよび図３７Ｃの動作配置に対応する水流を例示する簡略断面図である。
【図４０Ａ】浮動的な水遊び玩具の一部を形成するノズル要素調整スプレーノズルの１つの動作配置を示す。
【図４０Ｂ】浮動的な水遊び玩具の一部を形成するノズル要素調整スプレーノズルの１つの動作配置を示す。
【図４０Ｃ】浮動的な水遊び玩具の一部を形成するノズル要素調整スプレーノズルの１つの動作配置を示す。
【図４１Ａ】図４０Ａおよび図４０Ｃの動作配置に対応する水流を例示する簡略断面図である。
【図４１Ｂ】図４０Ａおよび図４０Ｃの動作配置に対応する水流を例示する簡略断面図である。
【発明を実施するための形態】
【００２６】
ここで、本発明の好ましい実施形態に従って構成されて動作する組み合わせ揚水流と重力流風呂用玩具システム１００の簡略絵画図である図１を参照する。
【００２７】
図１に示すように、組み合わせ揚水流と重力流風呂用玩具システム１００は、通常は潜水艦の空想的な形をしたポンプ部分１１０を含み、それは水に、例えば浴槽に浸漬されるのに適合し、そして吸引器１１２によって浴槽（図示せず）の底面に着脱自在に固着できる。ポンプ部分１１０は、好ましくは、ＯＮ／ＯＦＦスイッチ１１４を含み、そして加圧水導管および電気的スイッチ作動電線用導管１１８を好ましくは囲むフレキシブル導管１１６を経由してノズル部分１２０に連結する。ポンプ部分１１０は、好ましくは、空想的な形状、例えば潜水艦のイラスト形状で形成され、そこにおいて、フレキシブル導管１１６は、潜水艦から上向きに伸びるフレキシブル潜望鏡として想像できる。
【００２８】
ノズル部分１２０は、好ましくは、ノズルハウジング１２２を含み、それはフレキシブル導管１１６に確実に連結して、揚水加圧スプレー出力ノズル１２４を画成する。非常に若い幼児、１歳未満の子供でも操作できるスプレー制御スイッチアセンブリが提供されることが、本発明の例示の実施形態の特定の特徴である。
【００２９】
スプレー制御スイッチアセンブリは、好ましくは、一対の押しボタン１２６によって例示の実施形態において実現されて、それはノズルハウジング１２２に取り付けられ、そしてそれを若い幼児の手によって同時につかむことができる。スプレー制御スイッチアセンブリは、好ましくは、押しボタン１２６を互いに向かって強く握る幼児によって作動できる。本発明の好ましい実施形態に従って、非常に若い幼児でも押しボタン１２６のどちらかまたは両方とも強く握ることは、ノズル１２４から出るスプレー出力を作動させるのに十分である。
【００３０】
好ましくは、ノズル部分１２０およびノズルハウジング１２２は、例示の実施形態において、空想的な外観、例えば空想的風貌の顔を有するように構成される。
【００３１】
組み合わせ揚水流と重力流風呂用玩具システム１００は、好ましくは、非常に若い幼児によって作動するときも、ノズル１２４から噴霧される水を受け取るように構成する多方向の互いに交差する重力流部分１３０も含む。多方向の互いに交差する重力流部分１３０は、好ましくは、大体垂直の表面、例えば浴槽（図示せず）の側壁または端壁に取り付けるように構成されて、好ましくは、このために吸着カップ１３２を備えている。
【００３２】
本発明の好ましい実施形態に従って、多方向の互いに交差する重力流部分１３０は、好ましくは、少なくとも２つの水を受ける容器１３４および１３６を含み、それらは、ノズル部分１２０の押しボタン１２６を操作する非常に若い幼児でもノズル１２４からそこに向けられた水スプレーから水を受け取るように構成される。
【００３３】
水を受ける容器１３４は、好ましくは、第１の大体垂直の重力水流導管１３８に連結する。導管１３８は、重力流によって少なくとも一つの第１の重力流水駆動タービン１４０に水を供給する。タービン１４０は、ここでグーグリ・アイのように空想的に描画される、互いに逆の回転方向に、一対の回転物体１４２の視覚的に知覚可能な回転運動を生じる。少なくとも一つの第１の重力流水駆動タービン１４０は、好ましくは、出口１４４を備える。タービン１４０から重力によって流れる水は、出口１４８に直角に伸びる大体水平の導管１４６を経由して導かれる。出口１４８は、大体水平の導管１４６に大体垂直に伸びる、軸１５２のまわりを回転する、通常はピンホイールの形をした、第２の重力流水駆動タービン１５０との駆動係合に水を導く。
【００３４】
水を受ける容器１３６は、好ましくは、第２の大体垂直の重力水流導管１５８に連結する。導管１５８は、重力流によって第３の重力流水駆動タービン１６０に水を供給する。タービン１６０は、ここで時計目盛板のように空想的に描画される、回転物体１６２の視覚的に知覚可能な回転運動を生じる。第３の重力流水駆動タービン１６０は、好ましくは、出口１６４を備える。水を受ける容器１３６から導管１５８を通して重力によって流れている水は、横に伸びて大体水平の導管１４６と平行して伸びる大体水平の導管１６６を経由して導かれる。大体水平の導管１６６は、好ましくは、スプレー出口１７０の線形で大体水平のアレイを備えて形成される。
【００３５】
大体水平の導管１４６および大体水平の導管１６６が、共通の外部ハウジング１７２を有するように一緒に構成されて、ハウジング１７２は、実際に、互いに反対の大体水平の方向において、２つの別々の重力駆動流に適応するように構成される２つの大体水平の水導管を画成することは、本発明の実施形態の特定の特徴である。容器１３４から大体水平の導管１４６を通る重力駆動横水流が、重力駆動垂直水流を越えて容器１３６から大体垂直の導管１５８を経由して大体水平の導管１６６の中まで水平に達し、したがって、たとえこれが本当ではないとしても、流れが交わるという外観を与えると認められる。
【００３６】
ここで、図１の組み合わせ揚水流と重力流風呂用玩具システムのノズルおよび導管部分の簡略分解図である図２、図２のノズルおよび導管部分の一部を形成する前部ノズルハウジング要素の簡略絵画図および切欠絵画図である図３Ａおよび３Ｂ、図２のノズル導管部分の一部を形成する後部ノズルハウジング要素の簡略絵画図および切欠絵画図である図４Ａおよび４Ｂ、図２のノズル導管部分の一部を形成するスプレー制御スイッチアセンブリを示す図５Ａ〜５Ｌ、ならびに図２のノズル導管部分の一部を形成するノズル出口要素の簡略絵画図および断面図である図６Ａおよび６Ｂを参照する。
【００３７】
図２〜６Ｂに示すように、ノズルおよび導管部分は、ノズルハウジング１２２を含む、ノズル部分１２０を含み、それはフレキシブル導管１１６に確実に連結する。ノズルハウジング１２２は、前部ノズルハウジング部分２００および後部ノズルハウジング部分２０２を含む。ノズルハウジング部分２００および２０２は、好ましくは、一対の下部ネジ２０４および一対の上部ネジ２０５によって一緒に保持される。ネジ２０４および２０５は、後部ハウジング部分２００において、それぞれ、下部孔２０６および上部孔２０７を通って延びて、前部ハウジング部分２００において、それぞれ、対応する内部にねじ切りされた下部ボス２０８および上部ボス２０９と係合する。
【００３８】
ノズル出口要素２１２は、ノズルハウジング１２２の中に配置されて、前部ハウジング部分２００内を、孔２１０を通って延びる。ノズル出口要素２１２は、好ましくは、加圧水入口２１４および一対の取付孔２１６を含み、それらは、前部ハウジング部分２００におけるボス２２０および２２１との係合によって前部ノズルハウジング部分２００へのノズル出口要素２１２の取付けを可能にする。
【００３９】
前部ノズルハウジング部分２００および後部ノズルハウジング部分２０２は、参照番号２２２および２２３によって、それぞれ示される、一対の互いに反対に位置する側切欠きが各々形成される。側切欠きはノズル流制御押しボタン２２４および２２６に適応する。ノズル流制御押しボタン２２４および２２６は、電気ノズル流制御スイッチ２２８および以下に記載されている他の要素と共に、スプレー制御スイッチアセンブリ２３０を画成する。スプレー制御スイッチアセンブリ２３０は、ここで特に図５Ｂ〜５Ｌを参照して詳述する。
【００４０】
ノズル流制御押しボタン２２４および２２６は、参照番号２３１および２３２によってそれぞれ示される、対応する回動可能に取り付けられる押しボタン要素の一部を形成する。
【００４１】
回動可能に取り付けられる押しボタン要素２３１は、好ましくは、回動可能な取付けカラー部分２３４を含む。カラー部分２３４は、前部ハウジング部分２００においてボス２０９のまわりに回動可能に取付けるために配置される。カラー部分２３４は、押しボタン２２４を延長する湾曲アーム部分２３６に連結する。押しボタン２２４は、外側に面する幼児の手が係合可能な外面２３８、および筐体を部分的に画成して内側に面する突起２４０の対を含む内側の大体凹状の表面を含む。突起２４０は、電気ケーブル２４２に連結するマイクロスイッチ２４１のためのシートを画成する。
【００４２】
マイクロスイッチ保持および封止要素２４４は、押しボタン２２４の内側の大体凹状の表面によって部分的に画成される筐体の中にマイクロスイッチ２４１を保持して、封止して、その中の内周凹部２４６の中に密封して取り付けられる。マイクロスイッチ２４１は、マイクロスイッチ作動ボタン２４７を含み、そして、好ましくは、Ｈｏｎｇｋｏｎｇ  Ｌｅａｄｅｒ  Ｉｎｄｕｓｔｒｉａｌ  Ｃｏｍｐａｎｙ（１２６  Ｙｅｅ  Ｋｕｋ  Ｓｔｒｅｅｔ，  Ｓｈａｍ  Ｓｈｕｉ  Ｐｏ，  Ｋｏｗｌｏｏｎ）が市販する部品ＴＳ−２０３７である。
【００４３】
特に図５Ｃに示すように、マイクロスイッチ保持および封止要素２４４は、リングマウント２５２に取り付けられる、フレキシブル不透水的ウェブ部分２５０を含む、封止されたフレキシブルマイクロスイッチ作動アセンブリ２４８を受け入れるための中央凹部２４５を有する大体平面の要素である。封止されたフレキシブルマイクロスイッチ作動アセンブリ２４８は、好ましくは、保持リング２５４によって中央凹部２４５において封止して保持される。
【００４４】
マイクロスイッチ保持および封止要素２４４は、好ましくは、電気ケーブル導管部分２５６を含み、それは電気ケーブル２４２を封止して収容する。
【００４５】
回動可能に取り付けられる押しボタン要素２３２は、好ましくは、回動可能な取付けカラー部分２６４を含む。カラー部分２６４は、前部ハウジング部分２００において第２のボス２０９のまわりに回動可能に取付けるために配置される。カラー部分２６４は、押しボタン２２６を延長する湾曲アーム部分２６６に連結する。押しボタン２２６は、以下に詳細に記述するように、外側に面する幼児の手で係合可能な外面２６８、および押しボタン要素２３１および２３２の相対的な配置に応じて、マイクロスイッチ作動ボタン２４７を作動するためにマイクロスイッチ保持および封止要素２４４に取り付けたウェブ部分２５０と押圧係合できる内側に面する突起２７０を含む。
【００４６】
図５Ｋは、押しボタン２２４および２２６のいずれも押圧されない回動可能に取り付けられる押しボタン要素２３１および２３２の相対的な動作配置を示す。突起２７０はウェブ部分２５０と押圧係合しなくて、マイクロスイッチ作動ボタン２４７を作動させず、したがって、好ましくは、スイッチは閉じて、スプレーは設けられていないことが分かる。
【００４７】
図５Ｌは、押しボタン２２４および２２６のいずれかまたは両方とも押圧される、回動可能に取り付けられる押しボタン要素２３１および２３２の相対的な動作配置を示す。突起２７０はウェブ部分２５０と押圧係合して、マイクロスイッチ作動ボタン２４７を作動し、したがって、好ましくは、スイッチは開かれて、スプレーが生じることが分かる。あるいは、スプレー無しから最大容量のスプレーまで変化できる容量可変のスプレーを提供するマイクロスイッチを使用できることが認められる。
【００４８】
ノズル出口要素２１２の水入口２１４は、好ましくは、給水導管２７１に固定して連結する。給水導管２７１は、電気ケーブル２４２と共に、フレキシブル導管１１６を通って延びる。好ましくは、直径１．５ｍｍのナイロンから形成されるセキュリティケーブル２７２が提供されることは、本発明の実施形態の特定の特徴である。セキュリティケーブル２７２は、例えば、ボス２７６の上にループ状端部２７４を配置することによって前部ハウジング部分２００のボス２７６に係合して前部ハウジング部分係合にループ状端部２７４で固定して連結されて、ノズルハウジング１２２（図１）からの、そしてポンプ部分１１０（図１）からの、電気ケーブル２４２および給水導管２７１だけでなく、フレキシブル導管１１６の切断を防止するのに役に立つ。
【００４９】
フレキシブル導管１１６は、好ましくは、上下の相互ねじ結合要素２８０および２８２によって前部および後部ノズルハウジング部分２００および２０２の両方に取り付けられる。相互ねじ結合要素２８０および２８２は、その間の螺合からの圧力の下でフレキシブル導管１１６の端を保持する。下部結合要素２８２は、ハウジング部分２００および２０２の内部に形成される内側に面する円周突起２８４によって前部および後部ハウジング部分２００および２０２の中に保持される。下部結合要素２８２の、したがってフレキシブル導管１１６の前方および後部ノズルハウジング部分２００および２０２との相対的な回転は、下部結合要素２８２に形成された対応スロット２８８と前部ハウジング部分２００の内部突起２８６の係合により防止される。
【００５０】
ここで、ハウジング１２０のスプレー制御スイッチアセンブリの４つの動作状態の簡略絵画図である図７Ａ、７Ｂ、７Ｃ、および７Ｄ、および図４Ａの断面線Ｂ−Ｂに沿って切った、図７Ａ、７Ｂ、７Ｃ、および７Ｄに対応する簡略断面図である図８Ａ、８Ｂ、８Ｃ、および８Ｄを参照する。
【００５１】
図７Ａおよび８Ａは、押しボタン２２６および２２８のいずれも押圧されず、マイクロスイッチが作動せず、そしてスプレーが生じない第１の動作配置を示す。
【００５２】
図７Ｂおよび８Ｂは、押しボタン２２６が押圧されて、突起２７０をウェブ部分２５０に押圧係合させて、マイクロスイッチ２４１を作動させ、それによってスプレーを生じる第２の動作配置を示す。
【００５３】
図７Ｃおよび８Ｃは、押しボタン２２４が押圧されて、突起２７０をウェブ部分２５０に押圧係合させて、マイクロスイッチ２４１を作動させ、それによってスプレーを生じる第３の動作配置を示す。
【００５４】
図７Ｄおよび８Ｄは、押しボタン２２４および２２６が同時に押圧されて、突起２７０をウェブ部分２５０に押圧係合させて、マイクロスイッチ２４１を作動させ、それによってスプレーを生じる第４の動作配置を示す。
【００５５】
ここで、それぞれ、図１の線Ａ−Ａに沿って切った、図１の組み合わせ揚水流と重力流風呂用玩具システムのポンプ部分１１０の簡略断面図、図１の線Ｂ−Ｂに沿って切った、図１の組み合わせ揚水流と重力流風呂用玩具システムのポンプ部分１１０の簡略断面図、図１の矢印Ｃにより示される方向に切ったポンプ部分１１０の簡略部分切欠図、ならびに図９Ａおよび９Ｂのポンプ部分の簡略分解図である図９Ａ、９Ｂ、９Ｃ、および９Ｄを参照する。
【００５６】
図９Ａ〜９Ｄに示すように、そして図１を参照して上に示すように、ポンプ部分１１０は、動作の間に水に浸漬されるように構成されて、吸引器１１２によって浴槽（図示せず）の底に着脱自在に固着できる。ポンプ部は、好ましくは、ＯＮ／ＯＦＦスイッチ１１４を含む。それは、好ましくは、大人が操作可能であるが幼児が操作不可能であり、そしてフレキシブル導管１１６を経由して、ノズル部分１２０に連結される。
【００５７】
図９Ａ〜９Ｄに示すように、ポンプ部分は、上部および下部ポンプハウジング部分５００および５０２ならびに一対のポート穴画成側要素５０３を含む。それらは電気的に作動する揚水ポンプ５０４を一緒に囲む。揚水ポンプ５０４は、矢印５０７により示すように、水入口５０６でフィルタ５０５を経由して下部ポンプハウジング部分５０２の外側から水を受け取る。揚水ポンプ５０４は、ねじ込みカバー５０９を含む水封式電池パック５０８により給電される。揚水ポンプ５０４の動作は、電気制御アセンブリ５１０により制御される。電気制御アセンブリ５１０は、電池パック５０８からの電力供給に連結されて、電気ケーブル２４２を経由してＯＮ／ＯＦＦスイッチ１１４から制御入力を受け取る。
【００５８】
フレキシブル導管１１６は、上下の結合要素５２０および５２２によって上部ポンプハウジング部分５００に取り付けられる。上下の結合要素５２０および５２２は、好ましくは、上部ポンプハウジング部分５００の内部に形成したボス（図示せず）に孔５２３を通して嵌入したネジ（図示せず）によって、上部ポンプハウジング部分５００に取り付けられる。上部ポンプハウジング部分５００へのフレキシブル導管の取り付けは、上記のノズル部分１２０へのフレキシブル導管の取り付けと類似している。
【００５９】
セキュリティケーブル２７２のループ状端部５２６は、突起５２８に固定して固着されて、上部ポンプハウジング部分５００からの、電気ケーブル２４２および給水導管２７１だけでなく、フレキシブル導管１１６の切断を防止するのに役立つ。
【００６０】
ポンプ部分１１０は、下部ポンプハウジング部分５０２が吸引器１１２の突起５３４に回転可能に係合することを可能にするキャップ５３０およびペグ５３２を固定することによって、吸引器１１２に軸着される。
【００６１】
ここで、それぞれ、図１〜９Ｃの組み合わせ揚水流と重力流風呂用玩具システム１００の多方向の互いに交差する重力流部分１３０の簡略前面絵画図、背面絵画図、および分解図である図１０Ａ、１０Ｂ、および１０Ｃを参照する。
【００６２】
図１の説明において上記の如く、多方向の互いに交差する重力流部分１３０は、非常に若い幼児によって作動するときでも、ノズル１２４から噴霧される水を受け取るように構成される。多方向の互いに交差する重力流部分１３０は、好ましくは、大体垂直の表面、例えば浴槽（図示せず）の側壁または端壁に取り付けられるように構成されて、好ましくは、このために吸着カップ１３２を備えている。水がノズル１２４以外から多方向の互いに交差する重力流部分１３０に供給されることができると認められる。
【００６３】
本発明の好ましい実施形態に従って、多方向の互いに交差する重力流部分１３０は、好ましくは、少なくとも２つの水を受ける容器１３４および１３６を含む。容器１３４および１３６は、それぞれの垂直導管１３８および１５８を経由してそれぞれの第１および第２の重力流水駆動タービン１４０および１６０に給水する。タービン１４０および１６０は、それぞれのタービン・ハウジング・アセンブリ６００および６０２の中に位置する。
【００６４】
タービン・ハウジング・アセンブリ６００は、後部ハウジング部分６０４および前部ハウジング部分６０６を含み、それはじょうご状入口６０８付きで形成されている。タービン・ハウジング・アセンブリ６０２は、後部ハウジング部分６１４および前部ハウジング部分６１６を含む。
【００６５】
前部ハウジング部分６０６および６１６の両方とも、好ましくは、空想的な視覚的に感知可能な要素付きで形成される。前部ハウジング部分６０６は、好ましくは、タービンで駆動される駆動軸を収容するための一対の孔６２０および６２２、ここで一対の空想的な目部分を示す前面プレート６２４、および各々中心を外れた目瞳孔を表してそれぞれの駆動軸６３０および６３２を備えている一対の回転可能な要素６２６および６２８を備えて形成される。駆動軸６３０および６３２は、それぞれの孔６２０および６２２を通って延びて、タービン・ハウジング・アセンブリ６００の中に位置する、それぞれのタービンホイール６３４および６３６により駆動される。タービン・ハウジング・アセンブリ６００内のタービンの動作は、回転可能な要素６２６および６２８の回転によって視覚的に感知可能なぎょろ目の外観を提供する。
【００６６】
前部ハウジング部分６１６は、好ましくは、タービンで駆動される駆動軸を収容するための単一孔６４０、ここで空想的な時計の文字盤を示す前面プレート６４４、および時計のダイヤルを表して駆動軸６５０を備える回転可能な要素６４６により画成される回転物体１６２（図１）を備えて形成される。駆動軸６５０は、孔６４０を通って延びてタービン・ハウジング・アセンブリ６０２の中に位置するタービンホイール６５４により駆動される。タービン・ハウジング・アセンブリ６０２内のタービンの動作は、回転可能な要素６４６の回転によって視覚的に感知可能な可動クロックを提供する。
【００６７】
タービン・ハウジング・アセンブリ６００の前部ハウジング部分６０６は、好ましくは、比較的小さい前に面する水出口孔６６０、および図１に関して概して上に示したように、好ましくは大体水平の導管１４６に連結する比較的大きな下方に面する水出口孔６６２を含む。大体水平の導管１４６は、矢印６６４により示される第１の水平方向に横に出口１４８まで伸びる。出口１４８は、通常は風車の形状である第２の重力流水駆動タービン１５０との駆動係合に水を導く。タービン１５０は回転軸１５２のまわりを車軸６６６で回転する。回転軸１５２は大体水平の導管１４６に大体垂直に伸びる。回転車軸６６６は、支持アセンブリ６６８に取り付けられる。
【００６８】
タービン・ハウジング・アセンブリ６０２の前部ハウジング部分６１６は、好ましくは、比較的小さい前に面する水出口孔６７０、および図１に関して概して上に示したように、好ましくは、矢印６６４により示される第１の方向の反対側に、矢印６７４によって示すように、水平導管１４６に大体平行して、第２の方向に直角に大体水平の導管１６６に連結する比較的大きな下方に面する水出口孔６７２の前部分を含む。大体水平の導管１６６は、好ましくは、平行したスプレー出口１７０の線形の大体水平のアレイを備えて形成される。図１０Ｃに示すように、後部ハウジング部分６１４は、比較的大きな下方に面する水出口孔６７２の後部分を含む。
【００６９】
大体水平の導管１４６および大体水平の導管１６６が、共通の外部ハウジング１７２を有するように一緒に構成されて、それは、実際に、互いに反対の大体水平の方向の２つの別々の重力駆動流に適応するように構成される、２つの大体水平の水導管１４６および１６６を画成することは、本発明の実施形態の特定の特徴である。共通の外部ハウジング１７２は、好ましくは、前部および後部ハウジング部分６８０および６８２から形成されて、それらは、水出口孔６７２から、大体水平の導管１４６と平行する、大体水平の導管１６６に至る大体垂直の水導管６８４を一緒に画成する。
【００７０】
平行したスプレー出口１７０の水平アレイは、前部ハウジング部分６８０により画成される。その一方で、大体水平の導管１４６および１６６は、前部ハウジング部分６８０および後部ハウジング部分６８２によって共同で画成される。
【００７１】
ここで、図１〜１０Ｃの組み合わせ揚水流と重力流風呂用玩具システムの図１０Ａ〜１０Ｃの多方向の互いに交差する重力流部分の動作の第１の重力流モードの簡略絵画図および断面図である図１１Ａおよび１１Ｂを参照する。図１１Ｂは、図１１Ａの線Ｂ−Ｂに沿って切った図である。
【００７２】
図１１Ａおよび１１Ｂに示すように、矢印７００によって示すように、水を受ける容器１３４で受け取られる水は、矢印７０２によって示すように、容器１３４から重力の下で流れ、そして矢印７０４によって示すように、導管１３８を通ってタービン・ハウジング・アセンブリ６００に入り、そしてそれぞれの矢印７０６および７０８によって示すように、それぞれ時計回り方向および反時計回り方向にタービンホイール６３４および６３６を駆動し、それによって、それぞれの矢印７１０および７１２により示される、対応する時計回り方向および反時計回り方向に回転要素６２６および６２８を駆動する。
【００７３】
若干の水は、矢印７１４によって示すように、出口孔６６０を経由してタービン・ハウジング・アセンブリ６００を出る。そして大部分の水は、矢印７１６によって示すように、重力の下で出口孔６６２を通って、そして矢印７１８によって示すように、大体水平の導管１４６を通って、矢印７２０によって示すように、出口１４８から流出する。そこにおいて、それは、矢印７２２によって示すように、重力によって落下して、風車タービン１５０と駆動係合し、それによって矢印７２４によって示すように、風車タービン１５０を時計回り方向に駆動する。
【００７４】
ここで、図１〜１０Ｃの組み合わせ揚水流と重力流風呂用玩具システムの図１０Ａ〜１０Ｃの多方向の互いに交差する重力流部分の動作の第２の重力流モードの簡略絵画図および断面図である図１２Ａおよび１２Ｂを参照する。図１２Ｂは、図１２Ａの線Ｂ−Ｂに沿って切った図である。
【００７５】
図１２Ａおよび１２Ｂに示すように、矢印７５０によって示すように、水を受ける容器１３６で受け取られる水は、矢印７５２によって示すように、重力の下で容器１３６から出て、大体垂直の重力水流導管１５８を通って流れる。水の一部は、矢７５４によって示すように、重力の下でタービン・ハウジング・アセンブリ６０２に流入して、矢印７５６によって示すように、タービンホイール６５４を時計回り方向に駆動し、それによって、矢印７５８によって示すように、対応する時計回りの方向に回転物体１６２を駆動する。水は、矢印７５９によって示すように、重力の下でタービン・ハウジング・アセンブリ６０２から前に面する水出口孔６７０を通って流れ続ける。
【００７６】
大部分の水は、タービン１６０を駆動しないが、矢印７６０によって示すように、大体垂直の導管１５８を通過して、矢印７６２によって示すように、大体水平の導管１６６に入って、矢印７６４によって示すように、スプレーの大体水平のアレイのスプレー出口１７０から出る。
【００７７】
ここで、図１〜１０Ｃの組み合わせ揚水流と重力流風呂用玩具システムの図１０Ａ〜１０Ｃの多方向の互いに交差する重力流部分の動作の第３の重力流モードの簡略絵画図および断面図である図１３Ａおよび１３Ｂを参照する。図１３Ｂは、図１３Ａの線Ｂ−Ｂに沿って切った図である。
【００７８】
図１３Ａおよび１３Ｂに示すように、矢印８００によって示すように、水を受ける容器１３４で受け取られる水は、矢印８０２によって示すように、重力の下で容器１３４から出て、矢印８０４によって示すように、導管１３８を通ってタービン・ハウジング・アセンブリ６００に流入して、それぞれの矢印８０６および８０８によって示すように、タービンホイール６３４および６３６をそれぞれ時計回り方向および反時計回り方向に駆動し、それによって、それぞれの矢印８１０および８１２によって示すように、対応する回転可能な要素６２６および６２８を対応する時計回り方向および反時計回り方向に駆動する。
【００７９】
若干の水は、矢印８１４によって示すように、出口孔６６０を経由してタービン・ハウジング・アセンブリ６００を出て、大部分の水は、矢印８１６によって示すように、重力の下で出口孔６６２を通って、矢印８１８によって示すように、水平導管１４６を通って、矢印８２０によって示すように、出口１４８から流出する。そこにおいて、それは、矢印８２２によって示すように、重力によって、落下して、風車タービン１５０と駆動係合し、それによって、矢印８２４によって示すように、風車タービン１５０を時計回り方向に駆動する。
【００８０】
図１３Ａおよび１３Ｂに更に示すように、矢印８５０によって示すように、水を受ける容器１３６で同時に受け取る水は、矢印８５２によって示すように、重力の下で導管１５８を通って容器１３６から流出する。水の一部は、矢印８５４によって示すように、重力の下でタービン・ハウジング・アセンブリ６０２に流入して、矢印８５６によって示すように、タービンホイール６５４を時計回り方向に駆動し、それによって、矢印８５８によって示すように、回動物体１６２を対応する時計回り方向に駆動する。水は、矢印８５９によって示すように、重力の下でタービン・ハウジング・アセンブリ６０２から前に面する水出口孔６７０を通って流れ続ける。
【００８１】
大部分の水は、タービン１６０を駆動しないが、矢印８６０によって示すように、大体垂直の導管１５８を通過して、矢印８６２によって示すように、大体水平の導管１６６に入って、矢印８６４によって示すように、スプレーの大体水平のアレイのスプレー出口１７０から出る。
【００８２】
ここで、本発明の好ましい実施形態に従って構成されて動作する互いに対向する大体水平の重力駆動流水遊び玩具の代替実施形態のそれぞれ簡略前面図および背面図である図１４Ａおよび１４Ｂ、そこに形成されたさまざまな流路を示すそれぞれ前面分解図および背面分解図である図１４Ｃおよび１４Ｄ、図１４Ａ〜１４Ｄの互いに対向する大体水平の重力駆動流水遊び玩具の第１の流れパターンのそれぞれ絵画図および断面図である図１５Ａおよび１５Ｂ、図１４Ａ〜１４Ｄの互いに対向する大体水平の重力駆動流水遊び玩具の第２の流れパターンのそれぞれ絵画図および断面図である図１６Ａおよび１６Ｂ、図１４Ａ〜１４Ｄの互いに対向する大体水平の重力駆動流水遊び玩具の第３の流れパターンのそれぞれ絵画図および断面図である図１７Ａおよび１７Ｂ、ならびに図１４Ａ〜１４Ｄの互いに対向する大体水平の重力駆動流水遊び玩具の第４の流れパターンのそれぞれ絵画図および断面図である図１８Ａおよび１８Ｂを参照する。
【００８３】
図１４Ａ〜１４Ｂに示すように、３つの水を受ける容器９００、９０２、および９０４が設けられて、各々は、それぞれ参照番号９１０、９１２、および９１４により表される、大体垂直の水導管と連通する。垂直水導管９１４は、水出口ノズル９１６の大体垂直の線形アレイを備える。大体垂直の水導管９１０および９１２は、水出口ノズル９２０の線形アレイを備える大体水平の水導管９１８によって相互連結するように見える。垂直水導管９１０および９１４は、放出口９２４を有する大体水平の水導管９２２によって相互連結しているように見える。
【００８４】
図１４Ｃおよび１４Ｄに明らかに示すように、図１４Ａ〜１８Ｂの玩具は、好ましくは、前部分９３０および後部分９３２から形成されて、それらは、超音波で溶接されるかまたは他のあらゆる適切な方法で密封して結合できる。
【００８５】
図１８Ｂに明らかに示すように、水を受ける容器９００からの、矢印９３４によって示す、水の重力流は、大体垂直の導管９１０に画成された大体垂直の経路部分９４０に沿って、それから大体水平の導管９２２に画成された大体水平の経路部分９４２に沿って出口９２４に達する。
【００８６】
図１８Ｂにも明らかに示すように、水を受ける容器９０２からの、矢印９４４によって示す、水の重力流は、大体垂直の導管９１２に画成された大体垂直の経路部分９４６に沿って、それから大体水平の導管９１８に画成された大体水平の経路部分９４８に沿って、大体垂直の導管９１０に画成された大体垂直の経路部分９５０に、それから大体水平の導管９２２に画成された大体水平の経路部分９５２に、そして大体垂直の導管９１４に画成された大体垂直の経路部分９５４に沿って上向きに、そしてノズル９１６を通って出る。
【００８７】
更に図１８Ｂに明らかに示すように、水を受ける容器９０４からの、矢印９５６によって示す、水の重力流は、大体垂直の導管９１４に画成された大体垂直の経路部分９５８に沿って、それから水平の経路部分９２２の流れの、矢印９４４によって示す方向に反対の方向に大体水平の導管９２２に画成された大体水平の経路部分９６０に沿って、大体垂直の導管９１０に画成された大体垂直の経路部分９６２に、大体水平の導管９２２に画成された大体水平の経路部分９６４に、そして大体水平の経路部分９４８の流れの、矢印９４４によって示す方向に反対の方向に、そしてノズル９２２を通って出る。
【００８８】
ここで、本発明の別の好ましい実施形態に従って構成されて動作する組み合わせ揚水流と重力流風呂用玩具システム１１００の簡略絵画図である図１９を参照する。
【００８９】
図１９に示すように、組み合わせ揚水流と重力流風呂用玩具システム１１００は、概して植木鉢の空想的な形をした、ポンプ部分１１１０を含む。ポンプ部分は、水、例えば浴槽に浸漬されように構成されて、吸引器（図示せず）によって浴槽（図示せず）の底に着脱自在に固着できる。ポンプ部分は、好ましくは、ＯＮ／ＯＦＦスイッチ１１１４を含み、そして加圧水導管および電気的スイッチ作動電気導管（図示せず）を好ましく囲む、フレキシブル導管１１１６を経由して、好ましくは花の空想的な形状のノズル部分１１２０に連結して、そこにおいて、フレキシブル導管１１１６は、植木鉢から上向きに伸びるフレキシブルなフローステムとして想像できる。
【００９０】
ノズル部分１１２０は、好ましくは、ノズルハウジング１１２２を含み、それはフレキシブル導管１１１６に確実に連結して、それは揚水加圧スプレー出力ノズル１１２４を画成する。そして非常に若い幼児、１歳未満の幼児でも操作できる、電気スプレー制御スイッチアセンブリが提供されることは、本発明の例示の実施形態の特定の特徴である。
【００９１】
スプレー制御スイッチアセンブリは、好ましくは、一対の押しボタン１１２６によって例示の実施形態において実現されて、それらはノズルハウジング１１２２内に取り付けられ、そしてそれらは幼児の手で同時につかむことができる。スプレー制御スイッチアセンブリは、好ましくは、押しボタン１１２６を互いの方へ強く握る幼児によって作動できる。本発明の好ましい実施形態によれば、非常に幼い子供によっても、押しボタン１１２６のどちらかまたは両方とも強く握ることは、ノズル１１２４から出るスプレー出力を作動させるのに十分である。
【００９２】
好ましくは、ノズル部分１１２０およびノズルハウジング１１２２は、例示の実施形態において、空想的な外観、例えば花のそれを有するように構成される。
【００９３】
組み合わせ揚水流と重力流風呂用玩具システム１１００は、好ましくは、複数の互いに嵌合された水スプレー駆動可能ホイール、ここでは好ましくは３つのホイール１１３２、１１３４、および１１３６を含む水スプレー駆動の並んで取り付けた玩具アセンブリ１１３０も含む。幼児によって、複数のホイールは取り除かれて、それぞれ参照番号１１４２、１１４４、および１１４６により表される、対応する複数のハブ上へ置き換えることができる。
【００９４】
例示の実施形態で、複数のハブ１１４２、１１４４、および１１４６の各々が、好ましくは、異なる幾何学的な外周構成、例えば正方形、円形、および三角形を有することは、本発明の特定の特徴である。したがって、好ましくは、複数の互いに嵌合された水駆動可能ホイール１１３２、１１３４、および１１３６の各々は、複数のハブの幾何学的な外周構成のうちの１つに対応する異なる幾何学的な内周構成を対応して有する。このようにして、ホイール１１３２、１１３４、および１１３６のうちの１つが、対応する幾何学的構造を有するハブ１１４２、１１４４、または１１４６に幼児だけで取り付けられることを可能にする。
【００９５】
図１９に示すように、通常は、ノズル部分１１２０からの水のスプレーは、ホイール１１３２を反時計回り方向にその軸のまわりに回転させ、ホイール１１３４を時計回り方向にその軸のまわりに回転させ、そしてホイール１１３６を反時計回り方向に回転させる。
【００９６】
ここで、図１９の組み合わせ揚水流と重力流風呂用玩具システムのノズルおよび導管部分の簡略分解図である図２０、図２０のノズル導管部分の一部を形成するノズルハウジング要素の簡略絵画図および断面図である図２１Ａおよび２１Ｂ、図２０のノズル導管部分の一部を形成するノズルハウジング要素の簡略絵画図および断面図である図２２Ａおよび２２Ｂ、ならびに図２０のノズル導管部分の一部を形成するスプレー制御スイッチアセンブリを示す図２３Ａ〜２３Ｅを参照する。
【００９７】
図２０〜２３Ｅに示すように、ノズルおよび導管部分は、フレキシブル導管１１１６に確実に連結する、ノズルハウジング１１２２を含む、ノズル部分１１２０を含む。ノズルハウジング１１２２は、第１のノズルハウジング部分１２００および第２のノズルハウジング部分１２０２を含む。それらは、好ましくは、ネジ（図示せず）によって一緒に保持される。ネジは、第２のハウジング部分１２０２で、孔（図示せず）を通って延びて、第１のハウジング部分１２００でそれぞれの対応する内部にネジ切りされたボス（図示せず）に係合する。
【００９８】
ノズル出口要素１２１２は、ノズルハウジング１１２２内に配置されて、その上部部分に第１のノズルハウジング部分１２００および第２のノズルハウジング部分１２０２により形成される孔を通って延びる。ノズル出口要素１２１２は、好ましくは加圧水入口１２１４および一対の取付孔（図示せず）を含む。取付孔は、第１のノズルハウジング部分１２００および第２のノズルハウジング部分１２０２でボス（図示せず）との係合によって、ノズル出口要素１２１２の第１のノズルハウジング１１２２への取付けを可能にする。
【００９９】
第１のノズルハウジング部分１２００および第２のノズルハウジング部分１２０２は、参照数字１２２２および１２２３によってそれぞれ表される、各々中央スロットを備えて形成される。中央スロットは、ノズル流制御押しボタン１２２４および１２２６を収容する。ノズル流制御押しボタンは、電気ノズル流制御スイッチ１２２８および以下に記載の他の要素と共に、スプレー制御スイッチアセンブリ１２３０を画成する。スプレー制御スイッチアセンブリは、ここで図２３Ａ〜２３Ｅを特に参照して詳述する。
【０１００】
押しボタン１２２４は、外に面する幼児の手が係合可能な外面１２３８、および筐体を部分的に画成して一対の内側に面する突起（図示せず）を含む内側の大体凹状の表面を含む。突起は、電気ケーブル１２４２に連結するマイクロスイッチ１２４１のためのシートを画成する。
【０１０１】
マイクロスイッチ保持および封止要素１２４４は、押しボタン１２２４の内側の大体凹状の表面によって部分的に画成された筐体内にマイクロスイッチ１２４１を保持して封止して、その中の内周凹部（図示せず）の中に封止して取り付けられる。マイクロスイッチ１２４１は、マイクロスイッチ作動ボタン１２４７を含み、そして好ましくは、Ｈｏｎｇｋｏｎｇ  Ｌｅａｄｅｒ  Ｉｎｄｕｓｔｒｉａｌ  Ｃｏｍｐａｎｙ（１２６  Ｙｅｅ  Ｋｕｋ  Ｓｔｒｅｅｔ，  Ｓｈａｍ  Ｓｈｕｉ  Ｐｏ，  Ｋｏｗｌｏｏｎ）が市販する部品ＴＳ−２０３７である。
【０１０２】
図２３Ｅに特に示すように、マイクロスイッチ保持および封止要素１２４４は、リングマウント１２５２に取り付けられる、フレキシブルな不透水性ウェブ部分１２５０を含む、封止されたフレキシブルマイクロスイッチ作動アセンブリ１２４８を受け入れるための中央凹所１２４５を有する大体平らな要素である。封止されたフレキシブルマイクロスイッチ作動アセンブリ１２４８は、好ましくは、保持リング１２５４によって中央凹所１２４５に封止して保持される。一対の内向きに伸びるペグ１２５３は、ばね１２５５によって延びて、押しボタン１２２６の内に面する部分に形成されるボス１２５７によって係合するマイクロスイッチ保持および封止要素１２４４に形成される。
【０１０３】
マイクロスイッチ保持および封止要素１２４４は、好ましくは、電気ケーブル１２４２を封止して収容する電気ケーブル導管部分１２５６を含む。
【０１０４】
押しボタン１２２６は、外に面する幼児の手で係合可能な外面１２６８および内に面する突起１２７０を含む。突起１２７０は、詳細に後述するように、押しボタン要素１２２２および１２２３の相対的な配置に応じて、マイクロスイッチ作動ボタン１２４７を作動させるために、マイクロスイッチ保持および封止要素１２４４に取り付けたウェブ部分１２５０に押圧係合できる。
【０１０５】
図２３Ｂは、押しボタン１２２４および１２２６のいずれも押圧されない押しボタン１２２４および１２２６の相対的な動作配置を例示する。突起１２７０がウェブ部分１２５０に押圧係合しなくて、マイクロスイッチ作動ボタン１２４７を作動させず、したがって、好ましくは、スイッチは閉じて、スプレーは提供されないということが分かる。
【０１０６】
図２３Ｃは、押しボタン１２２４および１２２６のいずれかまたは両方とも押圧される、押しボタン１２２４および１２２６の相対的な動作配置を例示する。突起１２７０がウェブ部分１２５０に押圧係合して、マイクロスイッチ作動ボタン１２４７を作動させて、したがって、好ましくは、スイッチは開いて、スプレーを生じるということが分かる。あるいは、容量可変のスプレーを提供するマイクロスイッチを使用することができて、それは、スプレー無しから最大容量のスプレーまで変化できることが認められる。
【０１０７】
ノズル出口要素１２１２の水入口１２１４は、好ましくは、電気ケーブル１２４２と共にフレキシブル導管１１１６を通って延びる給水導管１２７１に固定して連結する。例えば、ボス１２７６の上のループ状端部１２７４の配置によって、第１のハウジング部分１２００のボス１２７６に係合してハウジング部分係合を促進するためにループ状端部１２７４で固定して連結されて、ノズルハウジング１１２２およびポンプ部分１１１０（図１９）からの、電気ケーブル１２４２および給水導管１２７１だけでなく、フレキシブル導管１１１６の切断を防止するために役立つ、好ましくは、直径１．５ｍｍのナイロンから形成されたセキュリティケーブル１２７２が設けられることは、本発明の実施形態の特定の特徴である。
【０１０８】
フレキシブル導管１１１６は、好ましくは、上下の相互ねじ込み結合要素（図示せず）によって第１および第２のノズルハウジング部分１２００および１２０２に取り付けられる。結合要素はその間に螺合からの圧力の下でフレキシブル導管１１１６の端を保持する。下部の結合要素は、ノズルハウジング部分１２００および１２０２の内部に形成された内に面する円周突起（図示せず）によって第１および第２のノズルハウジング部分１２００および１２０２の中に保持される。下部結合要素の、したがって第１および第２のノズルハウジング部分１２００および１２０２と関連するフレキシブル導管１１１６の回転は、第１のハウジング部分１２００の内部突起（図示せず）の下部結合要素（図示せず）に形成された対応スロット（図示せず）との係合によって妨げられる。
【０１０９】
ここで、ハウジング１１２０のスプレー制御スイッチアセンブリの４つの動作状態の簡略絵画図である図２４Ａ、２４Ｂ、２４Ｃ、および２４Ｄ、ならびに図２３Ａの断面線Ｂ−Ｂに沿って切った、図２４Ａ、２４Ｂ、２４Ｃ、および２４Ｄに対応する簡略断面図である図２５Ａ、２５Ｂ、２５Ｃ、および２５Ｄを参照する。
【０１１０】
図２４Ａおよび２５Ａは、押しボタン１２２６および１２２８のいずれも押圧されなくて、マイクロスイッチは作動しなくて、スプレーは生じない、第１の動作配置を例示する。
【０１１１】
図２４Ｂおよび２５Ｂは、押しボタン１２２６が押圧されて、突起１２７０にウェブ部分１２５０と押圧係合させて、マイクロスイッチ１２４１を作動させ、それによってスプレーを生じる第２の動作配置を例示する。
【０１１２】
図２４Ｃおよび２５Ｃは、押しボタン１２２４が押圧されて、突起１２７０にウェブ部分１２５０と押圧係合させて、マイクロスイッチ１２４１を作動させ、それによってスプレーを生じる第３の動作配置を例示する。
【０１１３】
図２４Ｄおよび２５Ｄは、押しボタン１２２４および１２２６が同時に押圧されて、突起１２７０にウェブ部分１２５０と押圧係合させて、マイクロスイッチ１２４１を作動させ、それによってスプレーを生じる第４の動作配置を例示する。
【０１１４】
ここで、それぞれ、図１９の矢印Ａによって示す方向に切ったポンプ部分の簡略部分切欠図、図１９の線Ｂ−Ｂに沿って切った、図１９の組み合わせ揚水流と重力流風呂用玩具システムのポンプ部分の簡略断面図、ならびに図２６Ａおよび２６Ｂのポンプ部分の簡略分解図である図２６Ａ、２６Ｂ、および２６Ｃを参照する。
【０１１５】
図２６Ａ〜２６Ｃに示すように、そして図１９を参照して上に示したように、ポンプ部分１１１０は、動作の間に水に浸漬されるのに適応して、吸引器（図示せず）によって浴槽（図示せず）の底に着脱自在に固着できる。ポンプ部分１１１０は、好ましくは、ＯＮ／ＯＦＦスイッチ１１１４を含む。それは、好ましくは、大人が操作可能であるが、幼児は操作不可能であり、そしてフレキシブル導管１１１６を経由してノズル部分１１２０（図１９）に連結される。
【０１１６】
図２６Ａ〜２６Ｃに示すように、ポンプ部分１１１０は、左右のポンプハウジング部分１５００および１５０１ならびに下部ポンプハウジング部分１５０２を含む。それらは電気的に作動する揚水ポンプ１５０４を一緒に囲む。揚水ポンプは、矢印１５０７によって示すように、水入口１５０６でフィルタ１５０５を経由して下部ポンプハウジング部分１５０２の外側から水を受け取る。揚水ポンプ１５０４は、ねじ込みカバー１５０９を含む水で密封された電池パック１５０８から給電される。揚水ポンプ１５０４の動作は、電気制御アセンブリ（図示せず）により制御される。それは電池パック１５０８からの電力供給に連結して、電気ケーブル１２４２を経由してＯＮ／ＯＦＦスイッチ１１１４から制御入力を受信する。
【０１１７】
フレキシブル導管１１１６は、上下の結合要素（図示せず）によってポンプ部分１１１０に取り付けられる。上下の結合要素は、好ましくは、左右のポンプポンプハウジング部分１５００および１５０１の内部に形成したボス（図示せず）に孔（図示せず）を通して嵌入したネジ（図示せず）によって左右のポンプハウジング部分１５００および１５０１に取り付けられる。左右のポンプハウジング部分１５００および１５０１へのフレキシブル導管の取り付けは、上記のノズル部分１１２０へのフレキシブル導管の取り付けと類似している。
【０１１８】
セキュリティケーブル１２７２のループ状端部１５２６は、突起１５２８に固定して固着して、左右のポンプハウジング部分１５００および１５０１からの、電気ケーブル１２４２および給水導管１２７１だけでなく、フレキシブル導管１１１６の切断を防止するのに役立つ。
【０１１９】
ポンプ部分１１１０は、下部ポンプハウジング部分１５０２が突起（図示せず）を吸引器（図示せず）に回転可能に係合することを可能にするキャップ（図示せず）およびペグ（図示せず）を固定することによって、吸引器（図示せず）に回転可能に取り付けられる。
【０１２０】
ここで、浮動的な動作配置の図１９〜２６Ｃの実施形態のポンプ部分の簡略絵画図である図２７を参照する。この実施形態は、図１９〜２６Ｃのそれと同一でありえて、浴槽の底などに簡単に取り付けることができないか、または代わりに、それは取付けのためのいかなる手段もなしで提供されることがありえる。図２７の実施形態は、好ましくは、それを浮揚性にするために浮揚性のある材料を含む。それらは、好ましくは、ポンプ部分が容易に沈めることができないかリスタブルでないように配置される。
【０１２１】
ここで、図１〜２７の実施形態のいずれにも示すようにポンプおよびノズルと協同して、またはポンプなしに使うことができる、スプレー駆動タービン水遊び玩具１６００のそれぞれ簡略前面組立図、背面組立図、および分解図である図２８Ａ、２８Ｂ、および２８Ｃ、形状にマッチするプレー経験を提供するために、異なる形のタービン部分が図２８Ａ〜２８Ｃの実施形態のようなそれに応じて異なる形のハブに選択可能に着脱可能且つ入れ替え可能でありえることを示す、それぞれ分解配置の簡略絵画図および簡略部分切欠側面図である図２９Ａおよび２９Ｂ、そこにある、異なって誘導された水スプレーに反応した図２８Ａ〜２９Ｂの実施形態の玩具によって実現可能な回転パターンを例示する簡略絵画図である図３０Ａ、３０Ｂ、３０Ｃ、および３０Ｄ、ならびに図２８Ａ〜３０Ｄの実施形態でハブからホイールを除去した３つの例を示す図３１Ａ、３１Ｂ、および３１Ｃを参照する。
【０１２２】
図２８Ａ〜３１Ｃに示すように、スプレー駆動タービン水遊び玩具は、好ましくは、ベース１６０２を含む。それは、好ましくは、吸着カップ１６０４によって浴槽の壁に取り付け可能である。ベース１６０４は、好ましくは、参照番号１６１２、１６１４、および１６１６により示されて、表されるように、複数の互いに平行した回転軸（通常は３つ）を画成する。ここでは参照番号１６２２、１６２４、および１６２６により表される、複数のハブは、それぞれの軸１６１２、１６１４、および１６１６に回転可能に取り付けられる。
【０１２３】
ハブ１６２２、１６２４、および１６２６の各々が、好ましくは、ここでは通常は正方形、円形、および三角形であるということが示される、異なる全体の幾何学的構造を有することは、本発明のこの実施形態の特定の特徴である。
【０１２４】
本発明の好ましい実施形態に従って、複数の互いに嵌合された水スプレー駆動可能ホイール（ここでは好ましくは３つホイール）１６３２、１６３４、および１６３６は、幼児によって取り除かれて、ホイール１６３２、１６３４、および１６３６の各々の内周形状を対応するハブ１６２２、１６３４、および１６３６の対応する外周形状と適合させることによって、参照番号１６２２、１６２４、および１６２６によってそれぞれ表される、対応するハブ上に置き換えることが可能である。
【０１２５】
例示の実施形態で、複数のハブ１６２２、１６２４、および１６２６の各々が、好ましくは、異なる幾何学的な外周構成、例えば、正方形、円形、および三角形を有することは、本発明の特定の特徴である。したがって、好ましくは、複数の互いに嵌合された水スプレー駆動可能ホイール１６３２、１６３４、および１６３６は、複数のハブの幾何学的な外周構成のうちの一つに対応する異なる幾何学的な内周構成を対応して有する。このようにして、ホイール車輪１６３２、１６３４、および１６３６のうちの一つが、対応する幾何学的構造を有するハブ１６２２、１６２４、または１６２６に幼児だけで取り付けることを可能にする。
【０１２６】
図３０Ａに示すように、概して、ホイール１６３２および１６３４への水のスプレーは、ホイール１６３２をその軸のまわりに反時計回り方向に回転させ、ホイール１６３４をその軸のまわりに時計回り方向に回転させて、ホイール１６３６を反時計回り方向に回転させる。
【０１２７】
図３０Ｂに示すように、概して、ホイール１６３２だけへの水のスプレーは、ホイール１６３２をその軸のまわりに時計回り方向に回転させ、ホイール１６３４をその軸のまわりに反時計回り方向に回転させて、ホイール１６３６を時計回り方向に回転させる。
【０１２８】
図３０Ｃに示すように、概して、ホイール１６３６だけへの水のスプレーは、ホイール１６３２をその軸のまわりに反時計回り方向に回転させ、ホイール１６３４をその軸のまわりに時計回り方向に回転させて、ホイール１６３６を反時計回り方向に回転させる。
【０１２９】
図３０Ｄに示すように、概して、ホイール１６３４だけへの水のスプレーは、ホイール１６３２をその軸のまわりに時計回り方向に回転させ、ホイール１６３４をその軸のまわりに反時計回り方向に回転させて、ホイール１６３６を時計回り方向に回転させる。
【０１３０】
図３１Ａに示すように、概して、ホイール１６３２および１６３４への水のスプレーは、ホイール１６３２をその軸のまわりに反時計回り方向に回転させて、ホイール１６３６がハブ１６２６から取り外されるときでも、ホイール１６３４をその軸のまわりに時計回り方向に回転させる。
【０１３１】
図３１Ｂに示すように、概して、ホイール１６３４だけへの水のスプレーは、ホイール１６３４をその軸のまわりに時計回り方向に回転させて、ホイール１６３２がハブ１６２２から取り外されるときでも、ホイール１６３６をその軸のまわりに反時計回り方向に回転させる。
【０１３２】
図３１Ｃに示すように、概して、ホイール１６３２および１６３６への水の同時のスプレーは、ホイール１６３２をその軸のまわりに時計回り方向に回転させて、ホイール１６３４がハブ１６２４から取り外されるとき、ホイール１６３６を反時計回り方向に回転させる。
【０１３３】
ここで、浴槽に装着可能なポンプアセンブリ１６５２（それは矢印１６５４により示される方向に水の加圧流を供給する）による図２８Ａ〜３１Ｃに示すそれと類似の玩具１６５０の動作の簡略図である図３２を参照する。
【０１３４】
ここで、例えば、図１９〜２７の実施形態に取り入れることができる、指調整スプレーノズル１７００の２つの動作配置を示す図３３Ａおよび３３Ｂ、ならびに図３３Ａおよび３３Ｂの２つの動作配置に対応する水流を例示する簡略断面図である図３４Ａおよび３４Ｂを参照する。
【０１３５】
図３３Ａ〜３４Ｂに示すように、矢印１７０２で示す、上方への水流は、矢印１７０６で示すように、まっすぐ上に通過して、比較的大きな中央孔１７０４を通って出る。孔１７０４がふさがれない限り、水は、孔１７０４を囲んで、より小さくて、矢印１７０２で示す水流に合わない周縁孔１７０８から出ない。
【０１３６】
孔１７０４を通る水流が、図３３Ｂおよび３４Ｂに示すように、指によって、完全にまたは部分的に阻止されるときに、水圧は、矢印１７１２で示すように、室１７１０、下にある孔１７０４、および周縁孔１７０８に蓄積し、そして矢印１７１６で示すように、周縁孔１７０８から水スプレーを生じる。
【０１３７】
ここで、例えば、図３２の浴槽に装着可能なポンプアセンブリに、そして図１９〜２７の実施形態に取り入れることができる、指調整スプレーノズルの２つの動作配置を示す図３５Ａおよび３５Ｂ、ならびに図３５Ａおよび３５Ｂの２つの動作配置に対応する水流を例示する簡略断面図である図３６Ａおよび３６Ｂを参照する。
【０１３８】
図３５Ａおよび３６Ａに示すように、矢印１７２２で示す、下方への水流は、矢印１７２６で示すように、ポンプアセンブリを直接通過して、比較的大きな中央孔１７２４から出る。孔１７２４がふさがれない限り、水は、孔１７２４を囲んで、より小さくて、矢印１７２２で示す水流に合わない周縁孔１７２８から出ない。
【０１３９】
孔１７２４を通る水流が、図３５Ｂおよび３６Ｂに示すように、指によって完全にまたは部分的に阻止されるときに、水圧は、矢印１７３１で示すように、孔１７２４の上にある室１７３０、および周縁孔１７２８に蓄積し、そして矢印１７３２で示すように、周縁孔１７２８から水スプレーを生じる。
【０１４０】
ここで、例えば、図１９〜２７の実施形態に取り入れることができる、ノズル要素調整スプレーノズルの３つの動作配置を示す図３７Ａ、３７Ｂ、および３７Ｃ、図３７Ａ〜３７Ｃのノズル要素調整スプレーノズルの一部の簡略分解図である図３８、ならびに図３７Ａおよび３７Ｃの動作配置に対応する水流を例示する簡略断面図である図３９Ａおよび３９Ｂを参照する。
【０１４１】
図３７Ａ〜３９Ｂに示すように、加圧水導管１７５０は水圧力室１７５２に連結して、それは導管１７５０から水の加圧流を受け取る。水圧力室１７５２は、大きな中心出口孔１７５４（それは枢支されたブロッキング部材１７５６によって通常はふさがれる）および複数の比較的小さい周縁出口孔１７５８（図３７Ａおよび３９Ａに示すように、それを通して、通常は、水はノズル要素から流出する）を備える。
【０１４２】
図３７Ｃおよび３９Ｂに示すように、枢支されたブロッキング要素１７５７が、図３７Ｂに示すように、中心出口孔１７５４に完全に挿入される中空出口要素１７６０によって非流れブロッキング位置に枢支することを強いられるときに、水の比較的強い加圧流は、中空出口要素１７６０を通過して、水は周縁出口孔１７５８を通過しない。その理由は、それらへの水流は、図３９Ｂに明らかに示すように、中空出口要素１７６０によって妨げられるからである。
【０１４３】
ここで、浮動的な水遊び玩具の一部を形成するノズル要素調整スプレーノズル１７７０の３つの動作配置を示す図４０Ａ、４０Ｂ、および４０Ｃ、ならびに図４０Ａおよび４０Ｃの動作配置に対応する水流を例示する簡略断面図である図４１Ａおよび４１Ｂを参照する。
【０１４４】
図４０Ａ〜４１Ｂに示すように、浮動的な玩具は浮動的なプラットフォーム１７７４を含む。それは、好ましくは、適切に配置された浮揚性のある材料１７７６をそこ含むことによって沈めることができず、そしてリスタブルでない。
【０１４５】
加圧水導管１７８０は水圧力室１７８２に連結する。それはポンプ１７８４から導管１７８０を経由して水の加圧流を受け取る。水圧力室１７８２は、大きな中心出口孔１７８６（それは枢支されたブロッキング部材１７８８によって通常はふさがれる）および複数の比較的小さい周縁出口孔１７９０（図４０Ａおよび４１Ａに示すように、それを通して、通常は、水はノズル要素から流出する）を備える。
【０１４６】
図４０Ｃおよび４１Ｂに示すように、枢支されたブロッキング要素１７８８が、図４０Ｂに示すように、中心出口孔１７８６に完全に挿入される中空出口要素１７９２によって、非流れブロッキング位置に枢支することを強いられるときに、水の比較的強い加圧流は、中空出口要素１７９２を通過して、水は周縁出口孔１７９０を通過しない。その理由は、それらへの水流は、図４０Ｂに明らかに示すように、中空出口要素１７９２によって妨げられるからである。
【０１４７】
通常は中心出口孔をブロックするかまたは指によって中心出口孔を選択的にブロックする構造が、本発明のすべての適用できる実施形態において交換可能に用いることができると認められる。
【０１４８】
本発明が、特に示されて上述したことに限定されず、そして特徴がさまざまな組合せで示されないにも関わらず、図面を参照して前に説明されている特徴のさまざまな組合せおよび下位組合せを含むと当業者によって認められる。かくして、例えば、図１４Ａ〜１８Ｂの実施形態は、図１３Ｂの水遊び玩具において使用できる。したがって、本発明の範囲は、上の説明によって、または続く請求項により制限されなくて、むしろ前記を読む当業者が思い浮かんで従来技術にはない上記の特徴の組合せおよび下位組合せを含む。
【図１】
2019069235.tif 000003
【図２】
2019069235.tif 000004
【図３Ａ】
2019069235.tif 000005
【図３Ｂ】
2019069235.tif 000006
【図４Ａ】
2019069235.tif 000007
【図４Ｂ】
2019069235.tif 000008
【図５Ａ】
2019069235.tif 000009
【図５Ｂ】
2019069235.tif 000010
【図５Ｃ】
2019069235.tif 000011
【図５Ｄ】
2019069235.tif 000012
【図５Ｅ】
2019069235.tif 000013
【図５Ｆ】
2019069235.tif 000014
【図５Ｇ】
2019069235.tif 000015
【図５Ｈ】
2019069235.tif 000016
【図５Ｉ】
2019069235.tif 000017
【図５Ｊ】
2019069235.tif 000018
【図５Ｋ】
2019069235.tif 000019
【図５Ｌ】
2019069235.tif 000020
【図６Ａ】
2019069235.tif 000021
【図６Ｂ】
2019069235.tif 000022
【図７Ａ】
2019069235.tif 000023
【図７Ｂ】
2019069235.tif 000024
【図７Ｃ】
2019069235.tif 000025
【図７Ｄ】
2019069235.tif 000026
【図８Ａ】
2019069235.tif 000027
【図８Ｂ】
2019069235.tif 000028
【図８Ｃ】
2019069235.tif 000029
【図８Ｄ】
2019069235.tif 000030
【図９Ａ】
2019069235.tif 000031
【図９Ｂ】
2019069235.tif 000032
【図９Ｃ】
2019069235.tif 000033
【図９Ｄ】
2019069235.tif 000034
【図１０Ａ】
2019069235.tif 000035
【図１０Ｂ】
2019069235.tif 000036
【図１０Ｃ】
2019069235.tif 000037
【図１１Ａ】
2019069235.tif 000038
【図１１Ｂ】
2019069235.tif 000039
【図１２Ａ】
2019069235.tif 000040
【図１２Ｂ】
2019069235.tif 000041
【図１３Ａ】
2019069235.tif 000042
【図１３Ｂ】
2019069235.tif 000043
【図１４Ａ】
2019069235.tif 000044
【図１４Ｂ】
2019069235.tif 000045
【図１４Ｃ】
2019069235.tif 000046
【図１４Ｄ】
2019069235.tif 000047
【図１５Ａ】
2019069235.tif 000048
【図１５Ｂ】
2019069235.tif 000049
【図１６Ａ】
2019069235.tif 000050
【図１６Ｂ】
2019069235.tif 000051
【図１７Ａ】
2019069235.tif 000052
【図１７Ｂ】
2019069235.tif 000053
【図１８Ａ】
2019069235.tif 000054
【図１８Ｂ】
2019069235.tif 000055
【図１９】
2019069235.tif 000056
【図２０】
2019069235.tif 000057
【図２１Ａ】
2019069235.tif 000058
【図２１Ｂ】
2019069235.tif 000059
【図２２Ａ】
2019069235.tif 000060
【図２２Ｂ】
2019069235.tif 000061
【図２３Ａ】
2019069235.tif 000062
【図２３Ｂ】
2019069235.tif 000063
【図２３Ｃ】
2019069235.tif 000064
【図２３Ｄ】
2019069235.tif 000065
【図２３Ｅ】
2019069235.tif 000066
【図２４Ａ】
2019069235.tif 000067
【図２４Ｂ】
2019069235.tif 000068
【図２４Ｃ】
2019069235.tif 000069
【図２４Ｄ】
2019069235.tif 000070
【図２５Ａ】
2019069235.tif 000071
【図２５Ｂ】
2019069235.tif 000072
【図２５Ｃ】
2019069235.tif 000073
【図２５Ｄ】
2019069235.tif 000074
【図２６Ａ】
2019069235.tif 000075
【図２６Ｂ】
2019069235.tif 000076
【図２６Ｃ】
2019069235.tif 000077
【図２７】
2019069235.tif 000078
【図２８Ａ】
2019069235.tif 000079
【図２８Ｂ】
2019069235.tif 000080
【図２８Ｃ】
2019069235.tif 000081
【図２９Ａ】
2019069235.tif 000082
【図２９Ｂ】
2019069235.tif 000083
【図３０Ａ】
2019069235.tif 000084
【図３０Ｂ】
2019069235.tif 000085
【図３０Ｃ】
2019069235.tif 000086
【図３０Ｄ】
2019069235.tif 000087
【図３１Ａ】
2019069235.tif 000088
【図３１Ｂ】
2019069235.tif 000089
【図３１Ｃ】
2019069235.tif 000090
【図３２】
2019069235.tif 000091
【図３３Ａ】
2019069235.tif 000092
【図３３Ｂ】
2019069235.tif 000093
【図３４Ａ】
2019069235.tif 000094
【図３４Ｂ】
2019069235.tif 000095
【図３５Ａ】
2019069235.tif 000096
【図３５Ｂ】
2019069235.tif 000097
【図３６Ａ】
2019069235.tif 000098
【図３６Ｂ】
2019069235.tif 000099
【図３７Ａ】
2019069235.tif 000100
【図３７Ｂ】
2019069235.tif 000101
【図３７Ｃ】
2019069235.tif 000102
【図３８】
2019069235.tif 000103
【図３９Ａ】
2019069235.tif 000104
【図３９Ｂ】
2019069235.tif 000105
【図４０Ａ】
2019069235.tif 000106
【図４０Ｂ】
2019069235.tif 000107
【図４０Ｃ】
2019069235.tif 000108
【図４１Ａ】
2019069235.tif 000109
【図４１Ｂ】
2019069235.tif 000110